(57)【要約】【課題】屋根材の雨水の軒樋に導きやすくすることができる屋根構造を提供する。【解決手段】後方に向かう下り勾配の屋根材４と、屋根材４の後端部に設けられて、屋根材４の上面４１を流れる雨水を受ける軒樋５とを備えると共に、屋根材４の後端部の上部を覆う上板部７１と、屋根材４との間に雨水が通る隙間Ｓをあけて屋根材４の後端面に相対向して配置される前垂下片７２と、前垂下片７２より後方で軒樋５に向けて垂下され、かつ前垂下片７２より下方に延びる後垂下片７４とを有するカバー材７を備えた屋根構造Ｐとすることによって、屋根材４の上面４１を流れる雨水を軒樋５に導きやすくなる。【選択図】  図１
2013227855.tif 000002
【特許請求の範囲】
【請求項１】
後方に向かう下り勾配の屋根材と、前記屋根材の後端部に設けられて、屋根材の上面を流れる雨水を受ける軒樋とを備えると共に、前記屋根材の後端部の上部を覆う上板部と、前記屋根材との間に雨水が通る隙間をあけて前記屋根材の後端面に相対向して配置される前垂下片と、該前垂下片より後方であって軒樋に向けて垂下され、かつ前垂下片より下方に延びる後垂下片とを有するカバー材を備えたことを特徴とする屋根構造。
【請求項２】
前記屋根材は、その上面より突出して、前後方向に延びる突条が左右方向に間隔をおいて複数設けられ、前記カバー材の前垂下片が前記突条の後端面に相対向されると共に、前垂下片の下端と屋根材の上面との間に、屋根材の上面からの雨水を軒樋に導く隙間が設けられていることを特徴とする請求項１に記載の屋根構造。
【請求項３】
前記屋根材の下面には、軒樋を支持する支持具を固定するための固定具が配置されており、前記固定具の後端から上方に立ち上がる上壁部が設けられていることを特徴とする請求項１又は２に記載の屋根構造。
【請求項４】
前記固定具の後端から下方に向けて垂下する垂下片が設けられていることを特徴とする請求項３に記載の屋根構造。
【発明の詳細な説明】
【技術分野】
【０００１】
本発明は、自動車駐車スペースや自転車置場に用いられる屋根構造に関する。
【背景技術】
【０００２】
従来、自動車駐車スペース、自転車置場、バス停等に用いられる屋根材は、地表に一列状に立設された支柱の上端に水平あるいはやや傾斜を付けて取付けられたものが知られている。この屋根材は、一般には支柱の上端から前方に向けて張り出された梁間に架設された母屋上に取付けられており、この屋根材の一端に軒樋が取付けられている。
【０００３】
例えば、特許文献１には、垂直片の上端から外方ヘ屋根板載置片を突設した桁板を側柱上端部間に架設し、該桁板の屋根板載置片上に屋根板側端部を載置し、該屋根板載置部の外側から屋根端隠し兼内軒樋を嵌着し、更に前記屋根端隠し兼内軒樋の外側面及び上下両外面の三面を被覆するよう化粧板兼外軒樋を嵌着して該両軒樋を共に桁板に固定した組立建物の軒部結合装置が提案されている。
【０００４】
また、特許文献２には、縦断面略くの字型の形状をした谷樋を被装するように板状の谷樋カバー部を形成し、該谷樋カバー部の水下側に筒状の垂下部を設けるとともに、水上側にスリットを設けた谷樋用の軒先カバー部材が提案されている。
【先行技術文献】
【特許文献】
【０００５】
【特許文献１】実開平０５−２１０２０号公報
【特許文献２】特開２００３−１６１００７号公報
【発明の概要】
【発明が解決しようとする課題】
【０００６】
しかしながら、前記組立建物の軒部結合装置は、屋根板載置片、屋根端隠し兼内軒樋、化粧板兼外軒樋は、側柱を基準に取付けられることになるので、屋根材と前記部材との位置調整が容易ではなく、屋根材と側柱との前後寸法に応じて前記部材を製作する必要であった。また前記軒先カバー部材は、谷樋の使用には適しているが、一般的な屋根材の後端部に適応させることは困難な構造であった。
【０００７】
本発明は、前記の如き問題点を解消し、屋根材の雨水の軒樋に導きやすくすることができる屋根構造を提供する。
【課題を解決するための手段】
【０００８】
上記目的を達成するために、本発明は次のような構成としている。
すなわちこの発明に係る屋根構造は、
後方に向かう下り勾配の屋根材と、前記屋根材の後端部に設けられて、屋根材の上面を流れる雨水を受ける軒樋とを備えると共に、前記屋根材の後端部の上部を覆う上板部と、前記屋根材との間に雨水が通る隙間をあけて前記屋根材の後端面に相対向して配置される前垂下片と、該前垂下片より後方であって軒樋に向けて垂下され、かつ前垂下片より下方に延びる後垂下片とを有するカバー材を備えたことを特徴とするものである。
【０００９】
本発明にかかる屋根構造において、前記屋根材は、その上面より突出して、前後方向に延びる突条が左右方向に間隔をおいて複数設けられ、前記カバー材の前垂下片が前記突条の後端面に相対向されると共に、前垂下片の下端と屋根材の上面との間に、屋根材の上面からの雨水を軒樋に導く隙間が設けられていることが好ましい。
【００１０】
また本発明にかかる屋根構造において、前記屋根材の下面には、軒樋を支持する支持具を固定するための固定具が配置されており、前記固定具の後端から上方に立ち上がる上壁部が設けられていることが好ましい。
【００１１】
更に本発明にかかる屋根構造において、前記固定具の後端から下方に向けて垂下する垂下片が設けられていることが好ましい。
【発明の効果】
【００１２】
本発明によれば、前記屋根材は、屋根材の後端部の上部を覆う上板部と、前記屋根材との間に雨水が通る隙間をあけて前記屋根材の後端面に相対向して配置される前垂下片と、該前垂下片より後方であって軒樋に向けて垂下され、かつ前垂下片より下方に延びる後垂下片とを有するカバー材を備えているので、例えば、屋根材の相対向して配置させる前垂下片を、施工時において、屋根材の後端面に当接させるようにすれば、屋根材に対するカバー材の位置合わせが容易であり、また、屋根材の上面を流れる雨水は、カバー材の
前垂下片と前記屋根材との間の隙間を通って、後垂下片によって軒樋へ導水させることができる。
【００１３】
本発明において、前記屋根材は、その上面より突出して、前後方向に延びる突条が左右方向に間隔をおいて複数設けられ、前記カバー材の前垂下片が前記突条の後端面に相対向されると共に、前垂下片の下端と屋根材の上面との間に、屋根材の上面からの雨水を軒樋に導く間隔があけられていれば、カバー材の前垂下片の前面を突条の後端面に当接するだけで、屋根材に対してカバー材の位置合わせが容易となる。
【００１４】
また本発明において、前記屋根材の下面には、軒樋を支持する支持具を固定するための固定具が配置されており、前記固定具の後端から上方に立ち上がる上壁部が設けられていれば、固定具の上壁部の前面を屋根材の後端面に当接するだけで、屋根材に対して固定具の位置合わせが可能となる。
【図面の簡単な説明】
【００１５】
【図１】本発明に係る屋根構造の実施の一形態を示す正面図である。
【図２】図１の背面図である。
【図３】図１のＡ−Ａ断面における、一部を省略した拡大断面図である。
【図４】図３の母屋付近における、一部を省略した拡大断面図である。
【図５】図３のＢ−Ｂ断面における、一部を省略した拡大断面図である。
【図６】図３の屋根材の前端部付近における、一部を省略した拡大断面図である。
【図７】図２の屋根材の後端部付近における、一部を省略した拡大断面図である。
【図８】図２の屋根材の後端部付近における、一部を省略した拡大断面図である。
【図９】図２の屋根材の後端部付近における、一部を省略した拡大斜視図である。
【図１０】本発明に係る屋根構造の実施の他の形態を示す屋根材の後端部付近における拡大断面図である。
【図１１】図１０の屋根材の後端部付近における一部を省略した斜視図である。
【図１２】本発明に係る屋根構造の実施における更に他の形態を示す屋根材の後端部付近における、拡大断面図である。
【発明を実施するための形態】
【００１６】
次に、本発明を実施するための最良の形態について図面を参照し、具体的に説明する。
【００１７】
図１−３は、本発明に係る屋根構造Ｐの実施の一形態を示す説明図であって、図１は正面図、図２は背面図、図３は図１のＡ−Ａ断面における、一部を省略した拡大断面図である。
【００１８】
図面において、１は支柱であり、該支柱１は、一般には強度的に安定しておりコストの安い円筒状の鋼管が用いられるが、設置面に立設されるものであれば、例えば、横断矩形のパイプ状でもよく、横断面Ｔ字状やＨ字状でもよい。また材質としては、鋼製以外として、ステンレス合金やアルミニウム合金等の他の金属を用いたものでもよい。更に、支柱の表面に防食性を高めるために亜鉛めっきや塗装等の表面処理を施してもよい。
【００１９】
２は前記支柱に支持された梁であり、該梁２は、支柱１と同様に、一般には強度的に安定しておりコストの安い円筒状の鋼管が用いられるが、設置面に立設されるものであれば、例えば、横断矩形の筒状でもよく、横断面Ｔ字状やＨ字状でもよい。また材質としては、鋼製以外として、ステンレス合金やアルミニウム合金等の他の金属を用いたものでもよい。更に、支柱の表面に防食性を高めるために亜鉛めっきや塗装等の表面処理を施してもよい。
【００２０】
支柱１と梁２とは、本形態では、インナースリーブ２１を介して連結されている。すなわち、支柱１と梁２とは、同径の円筒状に形成されており、支柱１と梁２と端部が突き合わされ、その突き合わせ部の内部にやや小径で筒状のインナースリーブ２１が支柱１と梁２とに挿入され、連結ボルトＢ１によって、支柱１と梁２とが連結されている。
【００２１】
支柱１と梁２とは、本形態では、図２に示すように、支柱１の上端が前斜め上方に向けて屈曲されて断面円筒状の屈曲部１１が設けられ、前記屈曲部１１の先端に梁２の基端とがインナースリーブ２１を介して連結されて、梁２が前斜め上方に延びるようにして支持されており、かように連結するようにすることにより、輸送時に支柱１と梁２とを分離できるので好ましいが、例えば、図示しないが、インナースリーブを用いずに、端面同士を溶接により接合した形態でもよく、支柱の上部を屈曲させて支柱と梁とを一体に設けた形態でもよく、支柱に屈曲部を設けずに、支柱の上端と梁の先端部とを溶接等で直接接合した形態や、溶接等で接合する代わりに逆Ｌ字状のインナースリーブを用いて連結した形態でもよい。
【００２２】
母屋３は、一般にはアルミニウム合金を押出成型してなる長尺形材を適宜長さに切断して用いるであって、図１に示すように、左右の梁２間に前後に間隔をおいて３列配置されており、本形態では、図４、５に示すように、断面縦長長方形の筒状となされ、梁２を上下に貫通して母屋３の内部に挿通される固定ボルトＢ２によって梁２に固定されている。母屋３は、例えば、図示しないが、長尺の鋼板を幅方向に折り曲げて筒状に成形し、その両側端同士を溶接等の接合手段によって接合して筒状に形成したものを用いてもよい。
【００２３】
屋根材４は、本形態では、図１、３に示すように、前後方向に長い平面視略長方形状であって、左右に複数配置されている。そして前後３列配置された母屋３上に載置され、取付ビスＢ３を介して母屋３上に固定されている。取付ビスＢ３には、止水パッキンＳ１が取付けられており、雨水が取付取付ビスＢ３を伝って母屋３に流れることを防ぐことができる。そして屋根材４は、下斜め後方に向けて勾配が設けられており、屋根材４の上面４１を流れる雨水は後方に向かって流れるので水切りが容易となる。
【００２４】
また屋根材４は、図５に示すように、隣合う屋根材４の側端部同士が重合されている。屋根材４の両側端部には、長手方向に延びる断面逆Ｕ字状の大突条４２が形成されており、大突条４２同士が上下に重合されている。したがって、屋根材４上に落ちた雨水は、側端部の大突条４２に遮られて、後方に導水される。本形態では、屋根材４の両端部の大突条４２は、一方がやや高く、他方がやや低く形成されており、隣合う屋根材４の大突条４２同士を重合させやすい。
【００２５】
また屋根材４の中間部には、両端部の大突条４２より低い断面逆Ｕ字状の小突条４３が前後方向に沿って形成されている。小突条４３は、本形態では、左右に間隔をあけて２個設けられている。
【００２６】
屋根材４の前端部には、本形態では、図６に示すように、屋根材４の前端部を覆う断面逆コ字状の鼻隠し４４が取付けられている。鼻隠し４４は、その下板部から屋根材４に向けて挿通される取付ビスＢ４によって止水パッキンＳ２を介して屋根材４に固定されている。鼻隠し４４は本形態に限定されるものではなく、屋根材４の前端部を覆って、屋根材４へ落ちた雨水が屋根材４の前端を超えて更に前方側に跳ねたり、流れたりすることを抑えることができればよく、屋根材４の前端部の意匠性を高めることができれば更に好ましい。
【００２７】
次に、屋根構造Ｐについて、図７−９を用いて詳しく説明する。まず軒樋５は、図７に示すように、屋根材４の後端部の下方に配置されており、屋根材４を伝って流れる雨水が流れ込んで、該軒樋５の一方の端部に取付けられた縦樋５１を通じて地面側に排出されるようになされている。軒樋５は、雨水が流れ込む排水溝５２が上方に向けて開口して取付けられている。そして、両側端部に蓋材５３が取付けられており、排水溝５２の側端部から雨水が流れ落ちることを防いでいる。
【００２８】
軒樋５と屋根材４とは、図７に示すように、軒樋５を支持する支持具５４と、前記支持具５４を屋根材４に固定するための固定具６とを介して接続されている。支持具５４は、軒樋５の排水溝５２の両側壁を支持する支持部５５と、支持部５５を前記固定具６に連結するための連結部５６とを備えている。固定具６は、支持具５の連結部５６が固定される受け部６１と、屋根材４の底面に沿って配置される底板部６２とを備えている。そして、取付ビスＢ５と止水パッキンＳ３により屋根材４と底板部６２とが連結されることにより、屋根材４に対して軒樋５が固定される。
【００２９】
前記底板部６２は、本形態では、図７、９に示すように、その後端部から上方に立ち上がって左右方向に延設された立壁部６３を備えている。前記立壁部６３の左右方向の幅寸法は、屋根材の二個の小突条４３間の寸法よりやや長く、屋根材４の両側端の大突条４２間の寸法よりは短く形成されている。これにより、固定具６の立壁部６３を二個の小突条４３の後端間にわたって配置し、両小突条４３の後端に当接させて配置させるることができるので、固定具６を屋根材４の後端に沿って取付けて、更に屋根材４に対して軒樋５を前後方向にずれることなく固定することが容易となる。したがって、軒樋５を母屋３に取付ける場合に比べて、屋根材４の上面４１を流れる雨水が流れ込みやすくするために軒樋５の取付位置を微調整することが不要となる。また本形態のように、立壁部６３の上端が小突条４３の上端より上方に位置するようにしておけば、立壁部６３をより確実に小突条４３に当接させて位置合わせすることができるので好ましい。
【００３０】
立壁部６３には、前後方向に貫通する水抜き孔６４が設けられており、屋根材４の二個の小突条４３の間を流れる雨水が、立壁部６３によって一時的に滞留しても、一部は水抜き孔６４を通って軒樋５へ流れ込み、また一部は、小突条４３を超えて、小突条４３と大突条４２との間を通って、立壁部６３と大突条４２との間の隙間から軒樋５へ流れ込むので、屋根材４の上面４１に雨水が不必要に滞留することを防ぐことができる。
【００３１】
カバー材７は、図８−９に示すように、屋根材４の後端部を覆って取付けられるものであって、前記後端部の上部を覆う上板部７１と、前記上板部７１から垂下されて、屋根材４の平坦な上面４１との間に隙間Ｓをあけて配置された前垂下片７２と、前垂下片７２より後方に設けられて、前垂下片７２の下端７３より下方に延びる後垂下片７４とを備えており、後垂下片７４によって該後端部の後方が覆われている。
【００３２】
上板部７１は、本形態では、左右に複数配置された屋根材４の側端部において上下に重合する大突条４２上に配置されており、屋根材４の後端部のばたつきを抑えると共に、屋根材４の後端部の上部を覆って意匠性を高めることができる。上板部７１は、屋根材４に向けて挿通される取付ビスＢ６によって屋根材４に固定されており、屋根材４の前記ばたつきをより確実に抑えることができる。
【００３３】
前垂下片７２は、本形態では、上板部７１の底面から下方に向けて垂下されており、左右方向に向けて連続して形成されている。そして、前垂下片７２は屋根材４の大突条４２の後端面に相対向されると共に、前垂下片７２の下端７３は、屋根材４の大突条４２の上端より下方で、かつ屋根材４の上面４１より上方に位置している。これにより、屋根材４の大突条４２の後端に相対向させて前垂下片７２の前面を当接させることによって、屋根材４の後端部においてカバー材７の位置を揃えることができる。加えて、前垂下片７２の下端７３を屋根材４の上面４１より上方に位置させることにより、前垂下片７２の下端７３と屋根材４の上面４１との間を通って、屋根材４の上面４１からの雨水が軒樋５に導かれるようになされており、屋根材４の上面４１を流れる雨水を不必要に遮ることがない。更に本形態では、前垂下片７２の下端７３は、固定具６の立壁部６３の上端よりも上方に位置しており、カバー材７と固定具６とが不必要に干渉しないように配置することができる。
【００３４】
後垂下片７４は、本形態では、前垂下片７２の後方向に間隔をおいて上板部７１の後端部から下方に向けて垂下されている。そして、後垂下片７４の下端７５は、前垂下片７２の下端７３より低い位置に達して軒樋５の排水溝５２内に向けて垂下されている。これにより、屋根材４の上面４１を流れる雨水が勢いよく流れてきても、まず前垂下片７２に雨水が衝突して勢いが削がれると共に、前垂下片７２の下端７３と屋根材４の上面４１とのとの間の隙間Ｓを通りうる雨水のみが軒樋５側に向かい、通れない雨水は一次的に滞留した状態となり、更に、前記隙間Ｓを通った雨水は、後垂下片７４に衝突して、軒樋５の排水溝５２に導かれる。したがって、本形態のように、後垂下片７４の下端７５が、屋根材４の上面４１よりも下方に位置しておれば、屋根材４の上面４１を流れる雨水を更に確実に軒樋５の排水溝５２に導くことができるので好ましい。
【００３５】
後垂下片７４は、図示しないが、例えば、前垂下片７２の背面から屋根材４の後端との間に雨水が通過する隙間をあけて下方に向けて垂下した形態でもよい。
【００３６】
本形態では、カバー材７は、屋根材４の後端部を連続して覆うように配置されているが、この際、カバー材７を一個のみ用いてもよく、複数個を左右方向に並べて用いてもよい。また、複数個を用いる場合は、隣り合う屋根材４の間に隙間を設けて配置してもよい。
【００３７】
図１０，１１は、本発明に係る屋根構造Ｐの実施に係る更に別の形態を示す説明図であって、図１１は屋根材４の後端部付近における一部を省略した断面図、図１２は図１１における一部を省略した斜視図である。本形態に係る屋根構造Ｐは、図１―９に示された屋根構造Ｐと比べて、主に固定具６の形態が異なるものであって、前記固定具６について詳しく説明し、その他の同様な形態に関する説明は省略する。
【００３８】
すなわち、本形態に係る固定具６は、図７に示された固定具６と比べて、左右に配置された屋根材４のほぼ左右両端にわたって長尺に形成されている点が主に異なっており、支持具５４の連結部５６が固定される受け部６１と、屋根材４の底面に沿って配置される底板部６２とを備えている点は同様である。受け部６１は、その上下方向の中間部に固定される連結部５６側に開口する凹溝６５が左右方向に沿って形成されており、前記凹溝６５の幅寸法より外径が大きいねじ部を有するビスＢ７を前記連結部５６から凹溝６５に向けて挿入し、ビスＢ７のねじ部が該凹溝６５の壁面に螺着され、連結部５６が受け部６１に固定される。これにより、固定具６の左右方向の任意の位置に支持具５４を取付けることができる。
【００３９】
底板部６２は、ビスＢ８を介して、屋根材４の下面に取付けられている。また底板部６２の後端部から上方に立ち上がって左右方向に延設された立壁部６３は、図７に示された立壁部６３と比べると低く、更に具体的には、屋根材４の上面４１の後端よりは高く、前記ビスＢ８によって屋根材４に形成されたのビス孔４５の高さ位置Ｌよりは低くなされている。これにより、屋根材４に対して固定具６を取付ける際、底板部６２の立壁部６３が当たりとなって、屋根材４の後端に沿って取付けて、屋根材４に対して軒樋５を前後方向にずれることなく容易に固定できるとともに、屋根材４の上面４１を流れる雨水が底板部６２の立壁部６３に遮られて滞留しても、その滞留した雨水が前記ビスＢ８を通って浸水して、底板部６２の下面側に回り込むことを抑えることができる。
【００４０】
また底板部６２は、本形態では、その後端部から下方に向けて垂下する垂下片６６が設けられている。これにより、屋根材４の上面４１からから前記立壁部６３を超えて流れる雨水が、屋根材４の下面側、すなわち底板部６２の下面側に回り込むことを抑えることができる。
【００４１】
カバー材７は、一般にはアルミニウム合金の押出成型によって得た長尺形材を適宜長さに切断して用いるものであるが、例えば合成樹脂により得た長尺形材を用いてもよく、また鋼板等の他の金属板を用いて、溶接等の接合や折り曲げ加工等により作成した形材を用いてもよい。
【００４２】
カバー材７を屋根材４に対して位置合わせを容易に取付けるためには、本形態の屋根材４のように、前後方向に大突条４２を設けた形態であれば、カバー材７の前垂下片７２の前面を大突条４２の後端に当接させるだけで前記位置合わせが可能となり好ましいが、例えば、屋根材４が、図１２に示すに平坦な板状である場合は、上板部７１と屋根材４の上面４１との間にスペーサー８を配置して、上板部７１と上面４１との間に雨水が通過する間隔を設け、かつ、前垂下片７２を前記屋根材４の後端面に当接させるとともに、該前垂下片７２と前記屋根材４の上面４１との間に、雨水を後垂下片７４の方に導く隙間Ｓを設けたような形態としてもよい。この場合、スペーサー８は左右方向に間隔をあけて配置しておけば、上面４１を流れる雨水は、スペーサー８の間を通って、軒樋５の排水溝５２に導くことができる。また本形態のように、取付ビスＢ６を用いてカバー材７を屋根材４に取付ける時に、該取付ビスＢ６がスペーサー８を上下方向に貫通するようにすれば、スペーサー８も併せて固定することができる。スペーサー８は、本形態では、母屋３と同様な筒状であるが、上面４１と上板部７１との間隔を保持できれば、中実の形態でもよく、特に限定されるものではない。
【００４３】
これらのように、屋根材４の後端部において、カバー材７を用いることによって、意匠性が高められると共に、屋根材４の上面４１を流れる雨水は、後垂下片７４によって軒樋５を超えて後方に溢れるにくくなり、軒樋５の排水溝５２に導水させやすくなるので、一般に排水溝５２の後方側に屋根材４から勢いよく流れる雨水を受けて排水溝５２に導水する受け板等は不要となる。
【００４４】
本形態の屋根材は、図１―３に示されるような、屋根材４を一面のみ有する、いわゆる片流れタイプの自転車置場に適用したものであるが、例えば、図示しないが、屋根材４が前後に配置され、中央から前端及び後端に向けて下方又は上方に傾斜する、側面視山型形状の屋根材４の前端及び後端に軒樋５を設けた形態、側面視逆山型形状の屋根材４の中央に軒樋５を設けた形態の自転車置場等にも好適に利用することができる。
【符号の説明】
【００４５】
１    支柱
１１  屈曲部
２    梁
２１  インナースリーブ
３    母屋
４    屋根材
４１  上面
４２  大突条
４３  小突条
４４  鼻隠し
４５  ビス孔
５    軒樋
５１  縦樋
５２  排水溝
５３  蓋材
５４  支持具
５５  支持部
５６  連結部
６    固定具
６１  受け部
６２  底板部
６３  立壁部
６４  水抜き孔
６５  凹溝
６６  垂下片
７    カバー材
７１  上板部
７２  前垂下片
７３  下端
７４  後垂下片
７５  下端
８    スペーサー
Ｂ１  連結ボルト
Ｂ２  固定ボルト
Ｂ３、Ｂ４、Ｂ５、Ｂ６  取付ビス
Ｂ７、Ｂ８  ビス
Ｌ    高さ位置
Ｐ    屋根構造
Ｓ    隙間
Ｓ１、Ｓ２、Ｓ３  止水パッキン
【図１】
2013227855.tif 000003
【図２】
2013227855.tif 000004
【図３】
2013227855.tif 000005
【図４】
2013227855.tif 000006
【図５】
2013227855.tif 000007
【図６】
2013227855.tif 000008
【図７】
2013227855.tif 000009
【図８】
2013227855.tif 000010
【図９】
2013227855.tif 000011
【図１０】
2013227855.tif 000012
【図１１】
2013227855.tif 000013
【図１２】
2013227855.tif 000014